(57)【要約】【課題】紙製のブランクによって構成される包装箱において、容易に立体感を出せるようにする。【解決手段】包装箱１を形成する紙製のブランク１０において、その包装箱１の箱軸方向に対向する対の頂点からそれぞれ延びて並列し且つ相互に交わらない二本の罫線１１，１２を設け、その罫線１１，１２を折り曲げて稜線を形成した。このようにすれば、変化に富んだ稜線を介在させることができるので、外観の単調さを解消でき、また、並列する二本の稜線により立体感を出すことができる。また、その稜線の形成の際に、複雑な折り曲げ工程を必要としないので、容易に立体感を出すことができる。また、上記二本の罫線１１，１２にそれぞれ弧状部を設け、その両弧状部でもってその二本の罫線が並列するようにした構成を採用し得る。このようにすれば、包装箱の稜線の外観をさらに変化に富んだものとでき、また、稜線の折り曲げ部分が弧状になれば、さらに立体感の度合いも増す。【選択図】図２
2006240725.tif 000002
【特許請求の範囲】
【請求項１】
紙製のブランクから形成され、少なくとも隣接する二面間に前記ブランクの折り曲げによる稜線を形成する包装箱において、
前記包装箱は、両端面間を結ぶ箱軸方向に対向する対の頂点を有し、前記ブランクには、前記各頂点からそれぞれ延びて並列し且つ相互に交わらない二本の罫線が設けられており、前記稜線は、前記二本の罫線を折り曲げて形成することを特徴とする包装箱。
【請求項２】
前記二本の罫線にそれぞれ弧状部を設け、その両弧状部でもって前記二本の罫線が並列することを特徴とする請求項１に記載の包装箱。
【請求項３】
前記二本の罫線は、それぞれ前記対向する対の頂点のうち一方の頂点から延びて他方の頂点を含む前記端面に至らないことを特徴とする請求項１又は２に記載の包装箱。
【発明の詳細な説明】
【技術分野】
【０００１】
この発明は、紙製のブランクから形成される包装箱に関するものである。
【背景技術】
【０００２】
一般に、化粧品や医薬品、各種飲料、あるいは菓子類などの物品を収納する包装箱は、紙製のブランクを折り曲げて直方体状に形成されたものが多い。例えば、特許文献１に示す化粧品収納用の包装箱は、四方を囲む側面板とその上下端面を塞ぐ両端面板で直方体状に構成されており、その上端面に開閉自在の蓋片を設けて収納品を上方から挿し入れ可能としたものである。包装箱内に物品を収納した後に前記蓋片を封止し、箱外周に所定の包装を行えば、商品は、出荷、陳列できるようになる。
【特許文献１】特開平１０−０２９６２９号公報
【発明の開示】
【発明が解決しようとする課題】
【０００３】
この種の直方体状の包装箱は、各面が、それぞれ長方形で構成され、すべての稜線が直線状に形成される。このため、外観が単調である。また、その稜線を境にフラットな二面が９０度の角度で連設しているので、需要者に対し、その外観が平面的に映るという欠点がある。単調で平面的な包装箱は、多種類の商品が並べて陳列される陳列棚において目立たないので好ましくない。
【０００４】
そこで、包装箱をより立体感あるものとするために、包装箱の外周に付属物を取り付ける手法も考えられる。しかし、包装箱に付属物を取り付けることは、ブランクの複雑化や、あるいは、部品の増加を伴い、また、組立工程が複雑になる原因となるので好ましくない。
【０００５】
そこで、この発明は、紙製のブランクによって構成される包装箱において、容易に立体感を出せるようにすることを課題とする。
【課題を解決するための手段】
【０００６】
上記の課題を解決するために、この発明は、包装箱の箱軸方向に対向する対の頂点からそれぞれ罫線を延ばして並列させ、且つ相互に交わらないようにし、その二本の罫線で稜線を形成したのである。
【０００７】
このようにすれば、包装箱に、二本の並列する稜線を介在させることができるので、その外観の単調さを解消し、容易に立体感を出すことができる。
【発明の効果】
【０００８】
この発明は、紙製のブランクによって構成される包装箱において、容易に立体感を出すことができる。
【発明を実施するための最良の形態】
【０００９】
上記手段の具体的実施形態として、紙製のブランクから形成され、少なくとも隣接する二面間に前記ブランクの折り曲げによる稜線を形成する包装箱において、前記包装箱は、両端面間を結ぶ箱軸方向に対向する対の頂点を有し、前記ブランクには、前記各頂点からそれぞれ延びて並列し且つ相互に交わらない二本の罫線が設けられており、前記稜線は、前記二本の罫線を折り曲げて形成する。
このようにすれば、包装箱に、二本の並列する稜線を容易に介在させることができ、その並列する二本の稜線は、視覚上の美観のポイントとなるので、外観の単調さを解消し得る。また、その稜線は、包装箱の外観に立体感を演出する。なお、その稜線の形成の際に、複雑な折り曲げ工程を必要としない。
【００１０】
上記の構成において、上記二本の罫線にそれぞれ弧状部を設け、その両弧状部でもってその二本の罫線が並列するようにした構成を採用し得る。このようにすれば、弧状の稜線が並列することにより、流れるような外観を呈し、立体感の度合いも増す。
【００１１】
さらに、上記二本の罫線を、それぞれ前記対向する対の頂点のうち一方の頂点から延びて他方の頂点を含む前記端面に至らないようにすれば、稜線の一部が断続的となって、その包装箱の外観を変化に富んだものとできる。
【実施例１】
【００１２】
実施例１を図１乃至図３に示す。図１は、この実施例１の包装箱１を構成するブランク１０の展開図であり、図２は、そのブランク１０を組み立てて形成した包装箱１の斜視図である。また、図３（ａ）はその包装箱１の平面図、（ｂ）は右側面図である。
【００１３】
ブランク１０は、底面板４に折目線ｒを介して右側面板６が連設されており、その右側面板６に、上面板５、左側面板７が順に連設されている。
また、底面板４の下端縁に下部端面板２’が、上端縁には上部端面板３’が連設されており、同じく上面板５の下端縁に下部端面板２が、上端縁には上部端面板３が連設されている。さらに、左右側面板６，７には、それぞれ下部折込片８，８及び上部折込片９，９が連設されている（図１参照）。
【００１４】
前記上面板５と右側面板６との間には、二本の罫線１１，１２が形成されている。両罫線１１，１２は、前記包装箱１の長軸に沿う箱軸方向、すなわち上下部端面板２，３で形成される包装箱の両端面間を結ぶ方向に対向する対の頂点をそれぞれ起点とし、その起点から対側の頂点の方向へと向かって延びている。また、両罫線１１，１２は、それぞれ弧状部が形成されて、その弧状に形成された部分でもって両者が並列する。また、両罫線１１，１２は、相互に交わらず、対側の頂点を含む端面には、至らないようになっている（図１参照）。
【００１５】
さらに、この実施例１に示す包装箱１では、上面板５と左側面板７との間にも、右側面板６側と同じく二本の罫線１１，１２が形成されている。そして、上面板５の両側に形成された二本の罫線１２，１２の先端が、上面板５の下端縁のやや上方において弧状の連結部１３で連結され、上面板５内において、罫線１２，１３，１２は平面視Ｕ字状に連続する罫線となっている。
【００１６】
このブランク１０から包装箱１を組み立てる際には、まず、前記罫線ｒ，１１，１２，１３に沿ってブランク１０を順次折り曲げていき、左側面板７に連設された接着片７ａを前記底面板４の外側縁部に接着して、ブランク１０を筒状にする。
その筒状ブランク１０の下端面において、折込片８，８を内側に折り込み、下部端面板２’及び下部端面板２を順次内側に折り込んで接着する。また、上端面は、折込片９，９を内側に折り込み、上部端面板３’及び上部端面板３を順次内側に折り込み、差込片３ａを上部端面板３’に形成したＴ字孔３ｂに差し込んだ後、接着して封止する。
【００１７】
このとき、前記上面板５と右側面板６との間の稜線、及び上面板５と左側面板７との間の稜線は、それぞれ前記二本の罫線１１，１２が折れ曲がることにより形成されるので、その稜線の外観は、図２に示すように、並列する二本の折目を伴った変化に富んだものとなる。また、両罫線１１，１２の弧状部を並列させて設けることにより、流れるような立体感を醸し出し、その美観を向上させている。
さらに、上面板５内において、両罫線１２，１２間に連結部１３が介在することにより、その罫線１２，１３，１２が一体に曲線状の折目を形成し、包装箱１は、さらにその外観が変化に富んだものとなる。また、平面視Ｕ字状の罫線１２，１３，１２の内側部分が、上面板５から浮き出たように見える視覚的効果がある（図２参照）。
【００１８】
なお、前記上部端面板３は、差込片３ａがＴ字孔３ｂに差し込まれることにより、もう一方の上部端面板３’に固定されるが、その上部端面板３’には、一部ミシン目からなる切れ目線ｃが設けられているので、その開封が容易となっている。なお、前記箱軸方向の向きは、この実施例では、包装箱の長軸方向に設定しているが、短軸方向に設定することも可能である。これは、以下の実施例についても同様である。
【実施例２】
【００１９】
実施例２を図４乃至図６に示す。図４は、この実施例２の包装箱２１を構成するブランク２０の展開図であり、図５は、そのブランク２０を組み立てて形成した包装箱２１の斜視図である。また、図６（ａ）はその包装箱２１の平面図、（ｂ）は右側面図である。
主要な構成は、実施例１と同様であるので、その実施例１との差異点について説明する。
【００２０】
実施例１に示す包装箱１では、上面板５と右側面板６との間に形成される罫線１１，１２と、上面板５と左側面板７との間に形成される罫線１１，１２とが、その上面板５を夾んで左右対称に設けられていたが、この実施例２に示す包装箱２１では、上面板５の下端縁の各頂点を起点とする罫線１１，１２が、それぞれ上面板５の外側、内側に向かって延び、上面板５の上端縁の各頂点を起点とする罫線１１，１２が、同じくそれぞれ上面板５の外側、内側に向かって延びている（図４参照）。
【００２１】
さらに、左側面板７側に形成された罫線１２の先端を、上面板５の上端縁のやや下方において下向きに反転させて連結部２３を形成し、その連結部２３を、前記右側面板６側に形成された罫線１２の中程に合流させている。また、右側面板６側に形成された罫線１２の先端を、上面板５の下端縁のやや上方において上向きに反転させて連結部２３を形成し、その連結部２３を、前記左側面板７側に形成された罫線１２の中程に合流させて、環状罫線２２を成している。
【００２２】
このため、上面板５内において、両罫線１２，１２間に連結部２３が介在することにより、その罫線１２，２３，１２，２３からなる環状罫線２２が曲線状の折目を形成し、包装箱２１は、さらにその外観が変化に富んだものとなる。また、環状罫線２２の内側部分が、上面板５から錐台状に浮き出たように見える視覚的効果がある（図５参照）。
【実施例３】
【００２３】
実施例３を図７乃至図９に示す。図７は、この実施例３の包装箱３１を構成するブランク３０の展開図であり、図８は、そのブランク３０を組み立てて形成した包装箱３１の斜視図である。また、図９（ａ）はその包装箱３１の平面図、（ｂ）は左側面図である。
以下、同じく実施例１との差異点について説明する。
【００２４】
この実施例３に示す包装箱３１では、上面板５と左側面板７との間に、上記構成の罫線１１，１２を設け、上面板５と右側面板６は、直線状の罫線ｒを介して連設されている。
また、上面板５には、内部に収納した物を取り出すために使用する孔３２を形成しており、左側面板７に連設された底面板４の上端縁には延長片３３，３４を連設して、その延長片３３，３４に設けた孔３６を介して、包装箱３１を吊下げて陳列できるようにしたものである（図８参照）。
【実施例４】
【００２５】
実施例４を図１０乃至図１２に示す。図１０は、この実施例４の包装箱４１を構成するブランク４０の展開図であり、図１１は、そのブランク４０を組み立てて形成した包装箱４１の斜視図である。また、図１２（ａ）はその包装箱４１の平面図、（ｂ）は右側面図である。
【００２６】
ブランク４０は、底面板４４に折目線ｒを介して右側面板４６が連設されており、その右側面板４６に、上面板４５が連設されている。その上面板４５と右側面板４６との間には、上記構成の二本の罫線１１，１２が形成されている。また、底面板４４の対側には、折目線ｒを介して左側面板４７、蓋板４５’が順に連設されている。
さらに、底面板４４の下端縁に下部端面板４２’が、上端縁には上部端面板４３’が連設されており、同じく上面板４５の下端縁に下部端面板４２が、上端縁には上部端面板４３が連設されている。さらに、左右側面板４６，４７には、それぞれ下部折込片４８，４８及び上部折込片４９，４９が連設されている（図１０参照）。
【００２７】
このブランク４０を組み立てて形成した包装箱４１は、図１１（ａ）に示すように、上面板４５上に蓋板４５’を接着等により固定したものであり、その蓋板４５’の弧状の前縁が、前記罫線１２に沿うように設定されている。その蓋板４５’の前縁端部には、図示する折目線ｃ’及び切目線ｄが設けられているので、前記蓋板４５’を開放する際に蓋板４５’を掴みやすいようになっている。
また、図１０に示す切目線ｃの内側部分は、蓋板４５’の下面に接着されており、包装箱４１内に収納した物品を取り出す際には、その蓋板４５’を持ち上げると、図１１（ｂ）に示すように、切目線ｃの内側部分が切り取られて蓋板４５’と一体に上方へ開放される。
なお、上面板４５に形成された切目線ｃに介在する切目線ｅと、蓋板４５’に形成された前記折目線ｃ’に介在する凸形の切目線ｄとが係止するようになっている。このため、開封後、蓋板４５’を閉じる際に、蓋板４５’を上面板４５に固定できるので便利である。
【実施例５】
【００２８】
実施例５を図１３及び図１４に示す。図１３は、この実施例５の包装箱５１を構成するブランク５０の展開図であり、図１４（ａ）はその包装箱５１の平面図、（ｂ）は右側面図である。
この実施例５に示す包装箱５１は、実施例１の包装箱１において、上面板５の両側に形成される罫線１２，１２を結ぶ連結部１３を省略したものである。なお、前記差込片３ａ等も省略している。
【実施例６】
【００２９】
実施例６を図１５及び図１６に示す。図１５は、この実施例６の包装箱６１を構成するブランク６０の展開図であり、図１６（ａ）はその包装箱６１の平面図、（ｂ）は右側面図である。
この実施例６に示す包装箱６１は、実施例５の包装箱５１において、下部端面板２にＬ字状の切目線６２，６２を設け、折込片８，８にそれぞれ係止部６４，６４と切目線６６，６６を形成したものである。また、上部端面板３にもＬ字状の切目線６３，６３を設けており、折込片９，９にそれぞれ係止部６５，６５と切目線６７，６７を形成している。
折込片８，８及び折込片９，９の各係止部６４，６５が、それぞれ対応する下部端面板２及び上部端面板３のＬ字状の切目線６２，６３に差し込まれ、そして、各折込片８，９の切目線６６，６７中程にそれぞれ形成した凸状の切目部を、前記切目線６２，６３に係止するようになっている。
【実施例７】
【００３０】
実施例７を図１７及び図１８に示す。図１７は、この実施例７の包装箱７１を構成するブランク７０の展開図であり、図１８（ａ）はその包装箱７１の平面図、（ｂ）は右側面図である。
この実施例７に示す包装箱７１は、実施例５の包装箱５１において、長軸、短軸の各箱軸方向辺の長さの比率を変更したものである。
【実施例８】
【００３１】
実施例８を図１９及び図２０に示す。図１９は、この実施例８の包装箱８１を構成するブランク８０の展開図であり、図２０（ａ）はその包装箱８１の平面図、（ｂ）は右側面図である。
この実施例８に示す包装箱７１は、実施例１の包装箱１において、上部端面板３の形状を変更したものである。
【実施例９】
【００３２】
実施例９を図２１及び図２２に示す。図２１は、この実施例９の包装箱９１を構成するブランク９０の展開図であり、図２２（ａ）はその包装箱９１の平面図、（ｂ）は右側面図である。
この実施例９に示す包装箱９１は、実施例５の包装箱５１において、上面板５と右側面板６との間に罫線１１，１２を形成し、上面板５と左側面板７を直線状の罫線ｒを介して連設したものである。
【実施例１０】
【００３３】
実施例１０を図２３及び図２４に示す。図２３は、この実施例１０の包装箱１０１を構成するブランク１００の展開図であり、図２４（ａ）はその包装箱１０１の平面図、（ｂ）は左側面図である。
この実施例１０に示す包装箱１０１は、実施例３の包装箱３１において、上面板５の孔３２を省略し、また、底面板４の上端縁に連設されていた延長片３３，３４及び上面板５に形成されていた孔３２を省略したものである。
【実施例１１】
【００３４】
実施例１１を図２５及び図２６に示す。図２５は、この実施例１１の包装箱１１１を構成するブランク１１０の展開図であり、図２６（ａ）はその包装箱１１１の平面図、（ｂ）は左側面図である。
この実施例１１に示す包装箱１１１は、実施例１０の包装箱１０１において、下部端面板２と折込片８，８の形状を変更し、さらに、底面板４にも下部端面板２’を連設したものである。
【００３５】
包装箱１１１を組み立てる際に、両下部端面板２，２’に設けられた接着片１１２，１１２’が、それぞれ折込片８，８に接着されるようになっており、同じく両下部端面板２，２’に設けられた係止片１１３，１１３’の端縁１１３ａ，１１３’ａ同士が噛み合って、両下部端面板２，２’同士が固定されるようになっている。
【実施例１２】
【００３６】
実施例１２を図２７及び図２８に示す。図２７は、この実施例１２の包装箱１２１を構成するブランク１２０の展開図であり、図２８（ａ）はその包装箱１２１の平面図、（ｂ）は右側面図である。
この実施例１２に示す包装箱１２１は、実施例９の包装箱９１において、長軸、短軸の各箱軸方向辺の長さの比率を変更し、さらに、罫線１２を、上面板５の対角線状に横断させて、罫線１２の起点側の頂点から前記対角線上に対向する頂点１２２に至るようにしたものである。
【実施例１３】
【００３７】
実施例１３を図２９及び図３０に示す。図２９は、この実施例１３の包装箱１３１を構成するブランク１３０の展開図であり、図３０（ａ）はその包装箱１３１の平面図、（ｂ）は右側面図である。
この実施例１３に示す包装箱１３１は、実施例４の包装箱４１における上下部端面板４２’、４３’、及び折込片４８，４８及び、折込片４９，４９の形状を変更し、実施例６に示す包装箱６１の上下部端面板２，３、及び折込片８，８及び、折込片９，９を採用したものである。
【００３８】
また、実施例４と同様、前記蓋板４５’の前縁端部には、図示する折目線ｃ’及び切目線ｄが設けられているので、前記蓋板４５’を開放する際に蓋板４５’を掴みやすいようになっているとともに、上面板４５に形成された切目線ｃに介在する切目線ｅと、蓋板４５’に形成された前記折目線ｃ’に介在する凸形の切目線ｄとが係止するようになっている。このため、開封後、蓋板４５’を閉じる際に、蓋板４５’を上面板４５に固定できるので便利である。
【図面の簡単な説明】
【００３９】
【図１】実施例１の展開図
【図２】実施例１の斜視図
【図３】実施例１を示し、（ａ）は平面図、（ｂ）は右側面図
【図４】実施例２の展開図
【図５】実施例２の斜視図
【図６】実施例２を示し、（ａ）は平面図、（ｂ）は右側面図
【図７】実施例３の展開図
【図８】実施例３の斜視図
【図９】実施例３を示し、（ａ）は平面図、（ｂ）は左側面図
【図１０】実施例４の展開図
【図１１】実施例４の斜視図を示し、（ａ）は蓋板の閉鎖状態、（ｂ）は開放状態を示す
【図１２】実施例４を示し、（ａ）は平面図、（ｂ）は右側面図
【図１３】実施例５の展開図
【図１４】実施例５を示し、（ａ）は平面図、（ｂ）は右側面図
【図１５】実施例６の展開図
【図１６】実施例６を示し、（ａ）は平面図、（ｂ）は右側面図
【図１７】実施例７の展開図
【図１８】実施例７を示し、（ａ）は平面図、（ｂ）は右側面図
【図１９】実施例８の展開図
【図２０】実施例８を示し、（ａ）は平面図、（ｂ）は右側面図
【図２１】実施例９の展開図
【図２２】実施例９を示し、（ａ）は平面図、（ｂ）は右側面図
【図２３】実施例１０の展開図
【図２４】実施例１０を示し、（ａ）は平面図、（ｂ）は左側面図
【図２５】実施例１１の展開図
【図２６】実施例１１を示し、（ａ）は平面図、（ｂ）は左側面図
【図２７】実施例１２の展開図
【図２８】実施例１２を示し、（ａ）は平面図、（ｂ）は右側面図
【図２９】実施例１３の展開図
【図３０】実施例１３を示し、（ａ）は平面図、（ｂ）は右側面図
【符号の説明】
【００４０】
１  包装箱
２，２’  下部端面板
３，３’  上部端面板
４  底面板
５  上面板
６  右側面板
７  左側面板
８，９  折込片
１０  ブランク
１１，１２，ｒ  罫線
１３，２３  連結部
２２  環状罫線
【図１】
2006240725.tif 000003
【図２】
2006240725.tif 000004
【図３】
2006240725.tif 000005
【図４】
2006240725.tif 000006
【図５】
2006240725.tif 000007
【図６】
2006240725.tif 000008
【図７】
2006240725.tif 000009
【図８】
2006240725.tif 000010
【図９】
2006240725.tif 000011
【図１０】
2006240725.tif 000012
【図１１】
2006240725.tif 000013
【図１２】
2006240725.tif 000014
【図１３】
2006240725.tif 000015
【図１４】
2006240725.tif 000016
【図１５】
2006240725.tif 000017
【図１６】
2006240725.tif 000018
【図１７】
2006240725.tif 000019
【図１８】
2006240725.tif 000020
【図１９】
2006240725.tif 000021
【図２０】
2006240725.tif 000022
【図２１】
2006240725.tif 000023
【図２２】
2006240725.tif 000024
【図２３】
2006240725.tif 000025
【図２４】
2006240725.tif 000026
【図２５】
2006240725.tif 000027
【図２６】
2006240725.tif 000028
【図２７】
2006240725.tif 000029
【図２８】
2006240725.tif 000030
【図２９】
2006240725.tif 000031
【図３０】
2006240725.tif 000032